(57)【要約】【課題】セットアップエラーを予防できる放射線治療用セットアップ装置を提供する。【解決手段】放射線治療用セットアップ装置１０は、放射線治療に用いる固定具を識別可能な固定具識別情報を含むセットアップテーブルが患者別に記録された記録媒体１３から、現に放射線治療を行う患者についてのセットアップテーブルを読み出すセットアップテーブル読出部１０１と、固定具３０に付されたバーコード３０Ａから、当該固定具３０についての固定具識別情報を読み取る固定具識別情報読取部１０２と、バーコード３０Ａから読み取られた固定具識別情報が、読み出されたセットアップテーブルに含まれているか否かを判定するとともに、当該判定の結果をオペレータに通知する照合処理部１０３と、を備えている。【選択図】図２
2017225572.tif 000002
【特許請求の範囲】
【請求項１】
放射線治療に用いる固定具を識別可能な固定具識別情報を１つ以上含んでなるセットアップテーブルが患者別に記録された記録媒体から、現に放射線治療を行う患者についての前記セットアップテーブルを読み出すセットアップテーブル読出部と、
前記固定具に付された情報保持媒体から、当該固定具についての前記固定具識別情報を読み取る固定具識別情報読取部と、
前記情報保持媒体から読み取られた前記固定具識別情報が、前記セットアップテーブル読出部によって読み出された前記セットアップテーブルに含まれているか否かを判定するとともに、当該判定の結果をオペレータに通知する照合処理部と、
を備える放射線治療用セットアップ装置。
【請求項２】
前記セットアップテーブルは、
前記固定具についての設定条件を識別するための設定条件識別情報を更に含む
請求項１に記載の放射線治療用セットアップ装置。
【請求項３】
前記セットアップテーブルは、
前記患者を識別するための患者識別情報を更に含む
請求項１又は請求項２に記載の放射線治療用セットアップ装置。
【請求項４】
前記セットアップテーブルは、
放射線治療の進行状況に応じて異なる前記固定具識別情報が記録されてなる
請求項１から請求項３の何れか一項に記載の放射線治療用セットアップ装置。
【請求項５】
請求項１から請求項４の何れか一項に記載の放射線治療用セットアップ装置と、
放射線照射を行う放射線治療装置と、
放射線治療を受ける患者が寝るための寝台と、
前記固定具識別情報が記録された前記情報保持媒体が付された前記固定具と、
を備える放射線治療システム。
【請求項６】
放射線治療に用いる固定具を識別可能な固定具識別情報を１つ以上含んでなるセットアップテーブルが患者別に記録された記録媒体から、現に放射線治療を行う患者についての前記セットアップテーブルを読み出すセットアップテーブル読出ステップと、
前記固定具に付された情報保持媒体から、当該固定具についての前記固定具識別情報を読み取る固定具識別情報読取ステップと、
前記情報保持媒体から読み取られた前記固定具識別情報が、前記セットアップテーブル読出ステップにおいて読み出された前記セットアップテーブルに含まれているか否かを判定するとともに、当該判定の結果をオペレータに通知する照合処理ステップと、
を有する放射線治療用セットアップ方法。
【請求項７】
放射線治療用セットアップ装置のコンピュータを、
放射線治療に用いる固定具を識別可能な固定具識別情報を１つ以上含んでなるセットアップテーブルが患者別に記録された記録媒体から、現に放射線治療を行う患者についての前記セットアップテーブルを読み出すセットアップテーブル読出部、
前記固定具に付された情報保持媒体から、当該固定具についての前記固定具識別情報を読み取る固定具識別情報読取部、
前記情報保持媒体から読み取られた前記固定具識別情報が、前記セットアップテーブル読出部によって読み出された前記セットアップテーブルに含まれているか否かを判定するとともに、当該判定の結果をオペレータに通知する照合処理部、
として機能させるプログラム。
【発明の詳細な説明】
【技術分野】
【０００１】
本発明は、放射線治療用セットアップ装置、放射線治療システム、放射線治療用セットアップ方法及びプログラムに関する。
【背景技術】
【０００２】
現在行われている放射線治療は、一般に、放射線の照射ごとにセットアップを行う必要がある。「セットアップ」とは、外部照射（外から放射線を当てる方法）において患者が寝る体勢を毎回の照射時に一致させる作業である。
この技術分野に関連し、特許文献１には、医用装置を駆動させるための使用条件の設定を簡便化する病院情報システムが開示されている。この病院情報システムは、患者を特定する情報と医用装置の患者別使用条件値とを関連づけた患者別テーブルを予め記憶しておく。医用装置等の外部機器から患者を特定する情報を受信すると、患者別テーブルを参照して、受信した患者を特定する情報と関連づけられた患者別使用条件値を取りだす。そして、取り出した患者別使用条件値を、ネットワークを介して医用装置に初期設定する。
【先行技術文献】
【特許文献】
【０００３】
【特許文献１】特開２００９−０８７１１２号公報
【発明の概要】
【発明が解決しようとする課題】
【０００４】
上述のセットアップ作業に間違いがあると、意図する場所とは異なる部位に放射線が照射されることになる。しかし、枕の種類や腕台の位置などが患者ごとに異なるため、組み合わせの数が膨大となる。また放射線治療は通常３０〜４０回に分けて照射するが、個々の患者に合わせたセットアップを毎回組み合わせる必要があるため、人間の確認作業だけではエラーが発生しやすい。
【０００５】
本発明が解決しようとする課題は、セットアップエラーを予防できる放射線治療用セットアップ装置、放射線治療システム、放射線治療用セットアップ方法及びプログラムを提供することにある。
【課題を解決するための手段】
【０００６】
本発明の第１の態様は、放射線治療に用いる固定具を識別可能な固定具識別情報を１つ以上含んでなるセットアップテーブルが患者別に記録された記録媒体から、現に放射線治療を行う患者についての前記セットアップテーブルを読み出すセットアップテーブル読出部と、前記固定具に付された情報保持媒体から、当該固定具についての前記固定具識別情報を読み取る固定具識別情報読取部と、前記情報保持媒体から読み取られた前記固定具識別情報が、前記セットアップテーブル読出部によって読み出された前記セットアップテーブルに含まれているか否かを判定するとともに、当該判定の結果をオペレータに通知する照合処理部と、を備える放射線治療用セットアップ装置である。
【０００７】
また、本発明の第２の態様によれば、前記セットアップテーブルは、前記固定具についての設定条件を識別するための設定条件識別情報を更に含む。
【０００８】
また、本発明の第３の態様によれば、前記セットアップテーブルは、前記患者を識別するための患者識別情報を更に含む。
【０００９】
また、本発明の第４の態様によれば、前記セットアップテーブルは、放射線治療の進行状況に応じて異なる前記固定具識別情報が記録されてなる。
【００１０】
また、本発明の第５の態様は、上述の放射線治療用セットアップ装置と、放射線照射を行う放射線治療装置と、放射線治療を受ける患者が寝るための寝台と、前記固定具識別情報が記録された前記情報保持媒体が付された前記固定具と、を備える放射線治療システムである。
【００１１】
また、本発明の第６の態様は、放射線治療に用いる固定具を識別可能な固定具識別情報を１つ以上含んでなるセットアップテーブルが患者別に記録された記録媒体から、現に放射線治療を行う患者についての前記セットアップテーブルを読み出すセットアップテーブル読出ステップと、前記固定具に付された情報保持媒体から、当該固定具についての前記固定具識別情報を読み取る固定具識別情報読取ステップと、前記情報保持媒体から読み取られた前記固定具識別情報が、前記セットアップテーブル読出部によって読み出された前記セットアップテーブルに含まれているか否かを判定するとともに、当該判定の結果をオペレータに通知する照合処理ステップと、を有する放射線治療用セットアップ方法である。
【００１２】
また、本発明の第７の態様は、放射線治療用セットアップ装置のコンピュータを、放射線治療に用いる固定具を識別可能な固定具識別情報を１つ以上含んでなるセットアップテーブルが患者別に記録された記録媒体から、現に放射線治療を行う患者についての前記セットアップテーブルを読み出すセットアップテーブル読出部、前記固定具に付された情報保持媒体から、当該固定具についての前記固定具識別情報を読み取る固定具識別情報読取部、前記情報保持媒体から読み取られた前記固定具識別情報が、前記セットアップテーブル読出部によって読み出された前記セットアップテーブルに含まれているか否かを判定するとともに、当該判定の結果をオペレータに通知する照合処理部、として機能させるプログラムである。
【発明の効果】
【００１３】
上述の放射線治療用セットアップ装置、放射線治療システム、放射線治療用セットアップ方法及びプログラムによれば、セットアップエラーを予防できる。
【図面の簡単な説明】
【００１４】
【図１】第１の実施形態に係る放射線治療システムの全体構成を示す図である。
【図２】第１の実施形態に係る放射線治療用セットアップ装置の機能構成を示す図である。
【図３】第１の実施形態に係る固定具及び情報保持媒体の態様を示す第１の図である。
【図４】第１の実施形態に係る固定具及び情報保持媒体の態様を示す第２の図である。
【図５】第１の実施形態に係る患者用タグの態様を示す図である。
【図６】第１の実施形態に係るセットアップテーブルの構成を示す図である。
【図７】第１の実施形態に係るＣＰＵの処理フローを示す図である。
【図８】第１の実施形態に係るＣＰＵの処理を説明する第１の図である。
【図９】第１の実施形態に係るＣＰＵの処理を説明する第２の図である。
【図１０】第２の実施形態に係るセットアップテーブルの構成を示す図である。
【発明を実施するための形態】
【００１５】
＜第１の実施形態＞
以下、第１の実施形態に係る放射線治療システム及び放射線治療用セットアップ装置を、図１〜図９を参照しながら説明する。
【００１６】
（全体構成）
図１は、第１の実施形態に係る放射線治療システムの全体構成を示す図である。
図１に示すように、放射線治療システム１は、放射線治療用セットアップ装置１０と、放射線治療装置２と、寝台３と、を備えている。
【００１７】
放射線治療用セットアップ装置１０は、放射線治療の際に、オペレータ（放射線技師）が行うセットアップ作業を支援する装置である。放射線治療用セットアップ装置１０は、図１に示すように、表示部１１、操作受付部１２、リーダ１５等を備えている。放射線治療用セットアップ装置１０についての各種構成については後述する。
【００１８】
放射線治療装置２は、寝台３に所定の姿勢で寝ている患者の患部に対し放射線を照射する装置である。
放射線治療装置２は、ガントリ２０と、放射線照射ヘッド２１と、支持部２２と、を備えている。ガントリ２０は、放射線照射ヘッド２１を支持しながら、寝ている患者の体軸方向（水平方向）の軸線回りに回転駆動する。
放射線照射ヘッド２１は、寝台３に寝ている患者の患部に対し、予め処方された所定線量の放射線を放射する。
支持部２２は、治療室に固定設置され、回転駆動するガントリ２０を支持する筐体である。
【００１９】
寝台３は、放射線治療を受ける患者が寝るための台である。図１に示すように、寝台３には、種々の固定具３０（固定用枕３１、腕台３２、膝固定具３３及び足固定具３４）が配置される。
固定用枕３１は、主に、患者の頭の姿勢、位置を固定する固定具である。また、腕台３２は、患者の腕の姿勢、位置を固定する固定具である。また、膝固定具３３及び足固定具３４は、患者の膝及び足を含む脚部全体を固定する固定具である。
ここで、放射線治療においては、患者が寝る体勢を毎回の照射時に一致させるセットアップ作業が必要になる。セットアップ作業において、オペレータは、患者の体勢に合わせて予め定められた一つ又は複数の固定具３０を寝台３の上に設置する。
なお、本実施形態においては、固定具３０の態様は、図１に示す固定用枕３１、腕台３２、膝固定具３３及び足固定具３４に限られず、放射線治療の分野で用いられている種々の固定具が含まれる。例えば、固定具３０には、患者の体を載せた状態で空気を抜くことで体型を型取りできるバキュームピロー、患者の顔面形状に合わせて作製されたマスク型の頭頸部固定用シェル、放射線の入射面からの体厚を補償するシートであるボーラスなどが含まれる。
【００２０】
（放射線治療用セットアップ装置の機能構成）
図２は、第１の実施形態に係る放射線治療用セットアップ装置の機能構成を示す図である。
図２に示すように、放射線治療用セットアップ装置１０は、ＣＰＵ１０Ａと、表示部１１（ディスプレイ）と、操作受付部１２と、記録媒体１３と、接続インターフェイス１４と、リーダ１５と、を備えている。
【００２１】
ＣＰＵ１０Ａは、放射線治療用セットアップ装置１０の動作全体を司るプロセッサである。本実施形態においてＣＰＵ１０Ａは、予め用意された専用のプログラムに従って動作することで、セットアップテーブル読出部１０１、固定具識別情報読取部１０２、照合処理部１０３としての機能を発揮する。これらＣＰＵ１０Ａの各種機能については後述する。
表示部１１は、画像を通じて各種情報を通知（表示）するディスプレイモニタであって、例えば、液晶表示装置などである。
操作受付部１２は、オペレータがセットアップ作業を行うにあたり必要な操作を受け付けるユーザインターフェイスであって、例えば、マウス、キーボード、タッチセンサ等である。
記録媒体１３は、ハードディスクドライブ等の大容量記憶デバイスである。記録媒体１３には、放射線治療を行う患者別の「セットアップテーブル」が記録されている。セットアップテーブルとは、患者別に放射線治療に用いる固定具３０を識別可能な固定具識別情報を１つ以上含んでなる情報テーブルである。セットアップテーブルの具体的な態様については後述する。
接続インターフェイス１４は、放射線治療用セットアップ装置１０に接続される外部機器（本実施形態においてはリーダ１５）を電気的に接続するためのインターフェイスである。
リーダ１５は、種々の固定具３０の各々に付されたバーコード３０Ａ（情報保持媒体）から、当該バーコード３０Ａに記録された情報を読み取るバーコードリーダである。
【００２２】
次に、ＣＰＵ１０Ａが有する各種機能について説明する。
セットアップテーブル読出部１０１は、オペレータの操作に応じて、記録媒体１３から、現に放射線治療を行う患者についてのセットアップテーブルを読み出す。
固定具識別情報読取部１０２は、リーダ１５を通じて、固定具３０に付されたバーコード３０Ａから、当該固定具３０についての固定具識別情報を読み取る。
照合処理部１０３は、バーコード３０Ａから読み取られた固定具識別情報が、セットアップテーブル読出部１０１によって読み出されたセットアップテーブルに含まれているか否かを判定するとともに、当該判定の結果をオペレータに通知する。
【００２３】
（固定具の具体的態様）
図３は、第１の実施形態に係る固定具及び情報保持媒体の態様を示す第１の図である。
図３には、固定具３０の一態様である固定用枕３１の構造を示している。
図３に示すように、放射線治療の現場においては、患者ごとの放射線治療計画に合わせて、複数種類の固定用枕３１が用意される。オペレータは、放射線治療を受ける特定の患者用にカスタマイズされた専用の固定用枕３１を、当該患者の放射線治療の度に、寝台３（図１）に設置する必要がある。
また、図３に示すように、各固定用枕３１には、バーコード３０Ａがそれぞれ付されている。各バーコード３０Ａには、そのバーコード３０Ａが付された固定用枕３１を識別可能な固定具識別情報が記録されている。放射線治療用セットアップ装置１０は、リーダ１５を通じてこのバーコード３０Ａを読み取ることで、当該バーコード３０Ａに記録された固定具識別情報を取得することができる。
【００２４】
図４は、第１の実施形態に係る固定具及び情報保持媒体の態様を示す第２の図である。
図４には、固定具３０の一態様である腕台３２の構造を示している。
図４に示すように、腕台３２は、支持板３２０と、腕固定パッド３２１と、角度位置調整部材３２２と、を有してなる。
支持板３２０は、寝台３（図１）上に載置され、腕固定パッド３２１、角度位置調整部材３２２全体を支持する部材である。
腕固定パッド３２１は、患者の腕を当ててその位置、姿勢を安定させるパッドである。
角度位置調整部材３２２は、腕固定パッド３２１を支持しながら、支持板３２０に対し、固定角度、固定位置を所望に変更可能とする。
【００２５】
図４に示すように、支持板３２０には、腕固定パッド３２１の固定角度、固定位置に応じた複数の孔Ｈ１、Ｈ２、Ｈ３、Ｈ４、・・が設けられている。オペレータは、支持板３２０に設けられたこれらの孔Ｈ１、Ｈ２、・・のいずれかと、角度位置調整部材３２２に設けられた孔と、を重ね合わせ、その両方に固定ピンＢを通す。これにより、腕固定パッド３２１は、所望する角度、位置で固定される。
【００２６】
図４に示すように、本実施形態に係る腕台３２には、複数のバーコード３０Ａが付されている。複数のバーコード３０Ａは、それぞれ、腕台３２（支持板３２０）の孔Ｈ１、Ｈ２、Ｈ３、Ｈ４、・・に対応するように付されている。例えば、バーコード３０Ａ１は、孔Ｈ１の近傍に付されている。このバーコード３０Ａ１には、この固定具３０が腕台３２であることを示す固定具識別情報の他、孔Ｈ１に対応する情報（設定条件識別情報）が記録されている。同様に、バーコード３０Ａ２、３０Ａ３、３０Ａ４には、それぞれ、腕台３２であることを示す固定具識別情報の他、孔Ｈ２、Ｈ３、Ｈ４に対応する情報（設定条件識別情報）が記録されている。
【００２７】
このように、固定具３０が単体であっても、患者ごとに異なる設定（腕固定パッド３２１の固定位置、角度）を要する場合には、当該固定具３０には、設定条件に応じた複数のバーコード３０Ａが付される。そして、そのバーコード３０Ａには、固定具３０を識別するための固定具識別情報の他、その固定具３０に対して設定すべき設定条件を識別するための設定条件識別情報が記録されている。
【００２８】
（患者用タグの態様）
図５は、第１の実施形態に係る患者用タグの態様を示す図である。
図５に示すように、放射線治療を受ける患者（特に入院患者）は、各患者を識別するための患者用タグ４を身に着けている。患者用タグ４は、例えば、患者の手首等に付される。患者用タグ４には、バーコード３０Ａが付されており、当該バーコード３０Ａには、各患者を識別可能な患者ＩＤ（患者識別情報）が記録されている。
なお、患者用タグ４は、図５に示した態様に限定されることはない。例えば、他の実施形態に係る患者用タグ４は、認証用ＩＣカードのような態様であってもよい。
【００２９】
（セットアップテーブルの構成）
図６は、第１の実施形態に係るセットアップテーブルの構成を示す図である。
上述したように、記録媒体１３（図２）には、患者別に予め用意されたセットアップテーブルが記録されている。このようなセットアップテーブルは、例えば、患者に対するＣＴ（Computed Tomography）結果に基づいて放射線治療の計画（特に、患者の姿勢）を決定した際に記録される。
図６に示すように、セットアップテーブルは、患者ＩＤに関連付けられて、複数の固定具識別情報及び設定条件識別情報（セット１、セット２、・・）が記録されている。このセットアップテーブルによれば、患者ごとに、放射線治療に用いるべき固定具３０及びその設定条件の組み合わせを特定することができる。例えば、図６のセットアップテーブルによれば、患者ＩＤ“０００００１”の患者の放射線治療には、当該患者ＩＤに関連付けられた複数の固定具識別情報（設定条件識別情報）“ＡＡＡＡＡ”、“ＢＢＢＢＢ”、・・の各々に示される固定具（及びその設定条件）を用いるべきことを特定できる。
【００３０】
（ＣＰＵの処理フロー）
図７は、第１の実施形態に係るＣＰＵの処理フローを示す図である。
図８及び図９は、それぞれ、第１の実施形態に係るＣＰＵの処理を説明する第１の図、第２の図である。
図７に示す処理フローは、放射線治療用セットアップ装置１０のＣＰＵ１０Ａによる処理フローであって、放射線治療のセットアップ作業時に実行される。
【００３１】
まず、セットアップテーブル読出部１０１は、操作受付部１２（図２）を通じて受け付けたオペレータの入力操作に従って、現に放射線治療を実施しようとしている患者についてのセットアップテーブルを読み出す（ステップＳ０１）。
【００３２】
ここで、例えば、オペレータは、操作受付部１２を用いて、患者ＩＤ“０００００１”で特定される患者についてのセットアップテーブルを選択する操作を行う。そうすると、セットアップテーブル読出部１０１は、記録媒体１３に予め記録された複数のセットアップテーブルの中から、患者ＩＤ“０００００１”の患者についてのセットアップテーブルを読み出して、表示部１１（図２）に表示する（図８参照。この時点では、「スキャン結果」及び「判定結果」には何も表示されていない）。
【００３３】
次に、固定具識別情報読取部１０２は、リーダ１５（図２）をアクティブにして、バーコード３０Ａの読み取り処理を開始する（ステップＳ０２）。ここで、リーダ１５を介してバーコード３０Ａの読み取りが行われなかった場合（ステップＳ０２：ＮＯ）、固定具識別情報読取部１０２は、ステップＳ０２を繰り返す。
リーダ１５を介してバーコード３０Ａの読み取りが行われた場合（ステップＳ０２：ＹＥＳ）、固定具識別情報読取部１０２は、その読取結果（スキャン結果）を表示部１１に表示する（ステップＳ０３）。
【００３４】
照合処理部１０３は、ステップＳ０２で読み取られたスキャン結果（患者ＩＤ、固定具識別情報、設定条件識別情報）が、ステップＳ０１で読み出されたセットアップテーブルに含まれているか否かを判定する（ステップＳ０４）。
スキャン結果がセットアップテーブルに含まれている場合（ステップＳ０４：ＹＥＳ）、照合処理部１０３は、判定結果“○”を表示部１１に表示する（ステップＳ０５）。他方、スキャン結果がセットアップテーブルに含まれていない場合（ステップＳ０４：ＮＯ）、照合処理部１０３は、判定結果“×”を表示部１１に表示する（ステップＳ０６）。
【００３５】
ＣＰＵ１０Ａは、全てのバーコード３０Ａを読み取ったか否かの判断に基づく操作をオペレータから受け付ける（ステップＳ０７）。全てのバーコード３０Ａを読み取ったことを示す操作（スキャン完了を示す入力操作）を受け付けた場合には（ステップＳ０７：ＹＥＳ）、ＣＰＵ１０Ａは、処理を終了する。また、全てのバーコード３０Ａを読み取ったことを示す操作を受け付けない場合には（ステップＳ０７：ＮＯ）、ＣＰＵ１０Ａは、ステップＳ０２に戻って、バーコードの読み取り処理を継続する。
【００３６】
上述のステップＳ０２〜Ｓ０６における処理の例を以下に説明する。
オペレータは、まず、患者が身に着けている患者用タグ４（図５）に付されたバーコード３０Ａにリーダ１５をかざして患者ＩＤを読み取る（ステップＳ０２）。そうすると、固定具識別情報読取部１０２は、「スキャン結果」の先頭（一番上の欄）に、患者ＩＤの読み取り結果（“０００００１”）を表示する（ステップＳ０３、図９参照）。続いて、照合処理部１０３は、スキャン結果である患者ＩＤ“０００００１”が、セットアップテーブルに含まれているか否かを判定する（ステップＳ０４）。この場合、スキャン結果である患者ＩＤ“０００００１”が、セットアップテーブルに含まれているので、照合処理部１０３は、判定結果“○”を「判定結果」の欄に表示する（ステップＳ０５、図９参照）。
【００３７】
次に、オペレータは、寝台３上に腕台３２を配置するとともに、治療計画で定められた設定条件「右腕・角度２５°」、「左腕・角度１５°」を設定する。
腕台３２の配置及び設定が完了すると、オペレータは、腕台３２の設定条件「右腕・角度２５°」に対応するバーコード３０Ａにリーダ１５をかざして固定具識別情報及び設定条件識別情報を読み取る（ステップＳ０２）。そうすると、固定具識別情報読取部１０２は、スキャン結果の二番目の欄に、固定具識別情報及び設定条件識別情報である“腕台＿右腕・角度２５°”を表示する（ステップＳ０３、図９参照）。続いて、照合処理部１０３は、スキャン結果である固定具識別情報及び設定条件識別情報“腕台＿右腕・角度２５°”が、セットアップテーブルに含まれているか否かを判定する（ステップＳ０４）。この場合、スキャン結果である固定具識別情報及び設定条件識別情報“腕台＿右腕・角度２５°”が、セットアップテーブルに含まれているので、照合処理部１０３は、判定結果“○”を「判定結果」の欄に表示する（ステップＳ０５、図９参照）。
【００３８】
更に、オペレータは、腕台３２の設定条件「左腕・角度１５°」に対応するバーコード３０Ａにリーダ１５をかざして固定具識別情報及び設定条件識別情報を読み取る（ステップＳ０２）。そうすると、固定具識別情報読取部１０２は、スキャン結果の三番目の欄に、固定具識別情報及び設定条件識別情報である“腕台＿左腕・角度１５°”を表示する（ステップＳ０３、図９参照）。続いて、照合処理部１０３は、スキャン結果である固定具識別情報及び設定条件識別情報“腕台＿左腕・角度１５°”が、セットアップテーブルに含まれているか否かを判定する（ステップＳ０４）。この場合、スキャン結果である固定具識別情報及び設定条件識別情報“腕台＿左腕・角度１５°”が、セットアップテーブルに含まれているので、照合処理部１０３は、判定結果“○”を「判定結果」の欄に表示する（ステップＳ０５、図９参照）。
【００３９】
続いて、オペレータは、治療計画で定められた、患者専用の固定用枕３１を寝台３上に配置する。
固定用枕３１の配置が完了すると、オペレータは、当該固定用枕３１に付されたバーコード３０Ａにリーダ１５をかざして固定具識別情報を読み取る（ステップＳ０２）。そうすると、固定具識別情報読取部１０２は、スキャン結果の四番目の欄に、固定具識別情報である“固定用枕＿１２３”を表示する（ステップＳ０３、図９参照）。続いて、照合処理部１０３は、スキャン結果である固定具識別情報“固定用枕＿１２３”が、セットアップテーブルに含まれているか否かを判定する（ステップＳ０４）。この場合、スキャン結果である固定具識別情報“固定用枕＿１２３”が、セットアップテーブルに含まれているので、照合処理部１０３は、判定結果“○”を「判定結果」の欄に表示する（ステップＳ０５、図９参照）。
【００４０】
続いて、オペレータは、治療計画で定められた、患者専用の膝固定具３３を寝台３上に配置する。
膝固定具３３の配置が完了すると、オペレータは、当該膝固定具３３に付されたバーコード３０Ａにリーダ１５をかざして固定具識別情報を読み取る（ステップＳ０２）。そうすると、固定具識別情報読取部１０２は、スキャン結果の五番目の欄に、固定具識別情報である“膝固定具＿０２３”を表示する（ステップＳ０３、図９参照）。続いて、照合処理部１０３は、スキャン結果である固定具識別情報“膝固定具＿０２３”が、セットアップテーブルに含まれているか否かを判定する（ステップＳ０４）。この場合、スキャン結果である固定具識別情報“膝固定具＿０２３”が、セットアップテーブルに含まれていないので、照合処理部１０３は、判定結果“×”を「判定結果」の欄に表示する（ステップＳ０５、図９参照）。
【００４１】
以上のように、オペレータは、セットアップ作業において、必要な固定具３０の配置及び調整（設定）を行う度に、各固定具３０に付されたバーコード３０Ａを読み取る。そうすると、放射線治療用セットアップ装置１０は、その固定具３０が、放射線治療を行う患者にとって正しい固定具か否か（及び、正しい設定条件か否か）を即座に判定する。
【００４２】
（作用、効果）
以上の通り、第１の実施形態に係る放射線治療用セットアップ装置１０は、放射線治療に用いる固定具３０を識別可能な固定具識別情報を１つ以上含んでなるセットアップテーブルが患者別に記録された記録媒体１３から、現に放射線治療を行う患者についてのセットアップテーブルを読み出すセットアップテーブル読出部１０１を備える。また、放射線治療用セットアップ装置１０は、固定具３０に付されたバーコード３０Ａ（情報保持媒体）から、当該固定具３０についての固定具識別情報を読み取る固定具識別情報読取部１０２を備える。更に、放射線治療用セットアップ装置１０は、バーコード３０Ａから読み取られた固定具識別情報が、セットアップテーブル読出部１０１によって読み出されたセットアップテーブルに含まれているか否かを判定するとともに、当該判定の結果をオペレータに通知する照合処理部１０３を備える。
【００４３】
上述のような構成を有する放射線治療用セットアップ装置１０によれば、放射線治療に用いる固定具の組み合わせが予め記録されたセットアップテーブルと、実際に用いる固定具に付されたバーコードから読み取った固定具識別情報と、が照合される。即ち、バーコードから読み取られた固定具識別情報に示される固定具がその患者に用いるべきものか否か、が直ちに判定され、オペレータに通知される。
したがって、オペレータは、患者に対して用いるべき固定具の取り違えを予防することができる。
【００４４】
また、第１の実施形態に係るセットアップテーブルは、固定具３０についての設定条件（例えば、腕台３２にて設定すべき腕固定パッド３２１の角度、位置）を識別するための設定条件識別情報を更に含む。
このようにすることで、バーコードから読み取られた設定条件識別情報に示される固定具の設定条件がその患者に適用されるべきものか否か、が直ちに判定され、オペレータに通知される。
したがって、オペレータは、固定具の取り違えばかりでなく、当該固定具に対する設定のミスをも予防することができる。
【００４５】
また、第１の実施形態に係るセットアップテーブルは、患者を識別するための患者ＩＤ（患者識別情報）を更に含む。
このようにすることで、読み出したセットアップテーブルに記録された患者ＩＤと、放射線治療を行う患者が身に着けている患者用タグに付されたバーコードとの照合がなされる。
したがって、オペレータは、セットアップ作業を行う際に読み出したセットアップテーブルが、現に放射線治療を行う患者に対応しているか否かを確認することができる。
【００４６】
＜第２の実施形態＞
次に、第２の実施形態に係る放射線治療システム及び放射線治療用セットアップ装置を、図１０を参照しながら説明する。
なお、第２の実施形態に係る放射線治療システム及び放射線治療用セットアップ装置の全体構成、機能構成については第１の実施形態と同様であるため、図示を省略する。
【００４７】
（セットアップテーブルの構成）
図１０は、第２の実施形態に係るセットアップテーブルの構成を示す図である。
図１０に示すように、第２の実施形態に係るセットアップテーブルは、第１の実施形態と同様に、患者ＩＤに関連付けられて、複数の固定具識別情報及び設定条件識別情報（セット１、セット２、・・）の組み合わせが記録されている。
更に、第２の実施形態に係るセットアップテーブルは、同一の患者の「累積放射線量」ごとに、異なる固定具識別情報及び設定条件識別情報の組み合わせが記録されている。
ここで、放射線治療の計画によっては、放射線治療の進行状況（累積放射線量）に応じて、放射線の照射方向（患者の体勢）を変更する場合がある。第２の実施形態に係るセットアップテーブルによれば、患者ごと、かつ、当該患者の治療の進行状況（累積放射線量）ごとに、放射線治療に用いるべき固定具３０及びその設定条件の組み合わせを特定することができる。
例えば、図１０のセットアップテーブルによれば、患者ＩＤ“０００００１”の患者について、治療の進行状況が累積放射線量４０に達する前の段階においては、固定具識別情報（及び設定条件識別情報）“ＡＡＡＡ１”、“ＢＢＢＢ１”、・・の各々に示される固定具（及びその設定条件）を用いるべきことを特定できる。また、同セットアップテーブルによれば、患者ＩＤ“０００００１”の患者について、治療の進行状況が累積放射線量４０に達した後の段階においては、上記と異なる固定具識別情報（及び設定条件識別情報）“ＡＡＡＡ２”、“ＢＢＢＢ２”、・・の各々に示される固定具（及びその設定条件）を用いるべきことを特定できる。
【００４８】
なお、第２の実施形態に係るセットアップテーブル読出部１０１は、操作受付部１２（図２）を通じて受け付けたオペレータの入力操作に従って、放射線治療を実施しようとしている患者の、当該放射線治療の進行状況に応じたセットアップテーブルを読み出すものとしてもよい。
【００４９】
（作用、効果）
以上のように、第２の実施形態に係る放射線治療システム１及び放射線治療用セットアップ装置１０によれば、セットアップテーブルは、治療の進行状況（累積放射線量）に応じて異なる固定具識別情報及び設定条件識別情報が記録されてなる。
このようにすることで、放射線治療の進行状況に応じた適切なセットアップテーブルが読み出される。
したがって、治療の進行状況に応じて患者の姿勢を変更する必要がある場合であっても、セットアップエラーを予防することができる。
【００５０】
（変形例）
以上、第１、第２の実施形態に係る放射線治療システム１及び放射線治療用セットアップ装置１０について詳細に説明したが、放射線治療システム１及び放射線治療用セットアップ装置１０の具体的な態様は、上述のものに限定されることはなく、要旨を逸脱しない範囲内において種々の設計変更等を加えることは可能である。
【００５１】
例えば、第１、第２の実施形態に係るセットアップテーブル読出部１０１は、操作受付部１２（図２）を通じて受け付けたオペレータの入力操作に従って、これから放射線治療を実施しようとしている患者についてのセットアップテーブルを読み出すものとして説明した（図７のステップＳ０１参照）。しかし、他の実施形態においてはこの態様に限定されない。
例えば、第１、第２の実施形態の変形例に係るセットアップテーブル読出部１０１は、リーダ１５を通じて、患者用タグ４のバーコード３０Ａに記録された患者ＩＤの読み取りを受け付ける。そして、セットアップテーブル読出部１０１は、患者用タグ４のバーコード３０Ａから読み取られた患者ＩＤを検索キーとして、当該患者ＩＤを含むセットアップテーブルを自動的に読み出す態様としてもよい。
【００５２】
また、第２の実施形態に係るセットアップテーブル読出部１０１は、操作受付部１２（図２）を通じて受け付けたオペレータの入力操作に従って、放射線治療を実施しようとしている患者の、当該放射線治療の進行状況に応じたセットアップテーブルを読み出すものとして説明した。しかし、他の実施形態においてはこの態様に限定されない。
例えば、第２の実施形態の変形例に係るセットアップテーブル読出部１０１は、患者用タグ４のバーコード３０Ａに記録された患者ＩＤの読み取りを受け付けた場合に、当該患者の治療の進行状況（例えば、累積放射線量）が記録された別途のデータベースにアクセスし、当該累積放射線量を示す情報を取得する態様であってもよい。この場合、セットアップテーブル読出部１０１は、取得した累積放射線量を検索キーにして、患者の治療進行状況に応じたセットアップテーブルを自動的に読み出す態様としてもよい。
【００５３】
また、「放射線治療の進行状況」とは、累積放射線量の他、放射線照射の回数などであってもよい。
【００５４】
また、第１、第２の実施形態に係る照合処理部１０３は、リーダ１５を通じて読み取られたスキャン結果（患者ＩＤ、固定具識別情報、設定条件識別情報）が、セットアップテーブル読出部１０１によって読み出されたセットアップテーブルに含まれているか否かを判定するものとして説明した。しかし、他の実施形態においてはこの態様に限定されない。
例えば、第１、第２の実施形態の変形例に係る照合処理部１０３は、上記機能に加え、更に、固定具識別情報読取部１０２によって読み取られた一群のスキャン結果（患者ＩＤ、固定具識別情報、設定条件識別情報）が、セットアップテーブルに含まれる各種情報に対し、“過不足なく一致しているか否か”を判定する機能を有していてもよい。この場合において、更に、第１、第２の実施形態の変形例に係る放射線治療装置２（図１）は、照合処理部１０３より“過不足なく一致している”との判定結果が得られている場合に限り、（オペレータの操作に基づいて）放射線を照射できるようにしてもよい。
これにより、正しいセットアップがなされていないまま放射線の照射が行われてしまうことを確実に防止することができる。
【００５５】
また、第１、第２の実施形態に係る放射線治療システム１及び放射線治療用セットアップ装置１０では、「情報保持媒体」の一態様として、バーコード３０Ａを用いるものとして説明したが、他の実施形態においてはこの態様に限定されない。
例えば、第１、第２の実施形態の変形例に係る「情報保持媒体」は、二次元コード、ＲＦＩＤタグ及びこれらに類するもの（即ち、光学的、電磁気的手段に基づいて、記録された情報を伝達可能な媒体）であれば如何なる態様であってもよい。
【００５６】
また、第１、第２の実施形態に係る照合処理部１０３は、「通知」の態様として、表示部１１に判定結果（“○”又は“×”）を表示するものとして説明したが、他の実施形態においてはこの態様に限定されない。
即ち、照合処理部１０３は、「通知」の一態様として、スピーカを通じてアラート音を再生する態様としてもよいし、これと表示部１１による表示とを組み合わせた態様であってもよい。
【００５７】
また、放射線治療用セットアップ装置１０は、如何なる態様であってもよく、例えば、一般的なデスクトップＰＣ、ノート型ＰＣでもよいし、タブレット型ＰＣ、他機能小型携帯端末（スマートフォン）等であっても構わない。また、図２において、放射線治療用セットアップ装置１０は、記録媒体１３を内蔵するものとして図示しているが、この記録媒体１３は、放射線治療用セットアップ装置１０とは異なる他のコンピュータ（遠隔に設置されたサーバ）に具備される態様であってもよい。
【００５８】
また、上述の各実施形態においては、上述した放射線治療用セットアップ装置１０（ＣＰＵ１０Ａ）の各種処理の過程は、プログラムの形式でコンピュータ読み取り可能な記録媒体に記憶されており、このプログラムをコンピュータが読み出して実行することによって上記各種処理が行われるものとしてもよい。ここで、コンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００５９】
上記プログラムは、上述した機能の一部を実現するためのものであってもよい。更に、上述した機能をコンピュータシステムにすでに記録されているプログラムとの組み合わせで実現できるもの、いわゆる差分ファイル（差分プログラム）であってもよい。更に、放射線治療用セットアップ装置１０は、１台のコンピュータで構成されていても良いし、通信可能に接続された複数のコンピュータで構成されていてもよい。
【００６０】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【００６１】
１  放射線治療システム
１０  放射線治療用セットアップ装置
１０Ａ  ＣＰＵ
１０１  セットアップテーブル読出部
１０２  固定具識別情報読取部
１０３  照合処理部
１１  表示部
１２  操作受付部
１３  記録媒体
１４  接続インターフェイス
１５  リーダ
２  放射線治療装置
２０  ガントリ
２１  放射線照射ヘッド
２２  支持部
３  寝台
３０  固定具
３０Ａ  バーコード（情報保持媒体）
３１  固定用枕
３２  腕台
３２０  支持板
３２１  腕固定パッド
３２２  角度位置調整部材
３３  膝固定具
３４  足固定具
４  患者用タグ
Ｂ  固定ピン
Ｈ１、Ｈ２、Ｈ３、Ｈ４  孔
【図１】
2017225572.tif 000003
【図２】
2017225572.tif 000004
【図３】
2017225572.tif 000005
【図４】
2017225572.tif 000006
【図５】
2017225572.tif 000007
【図６】
2017225572.tif 000008
【図７】
2017225572.tif 000009
【図８】
2017225572.tif 000010
【図９】
2017225572.tif 000011
【図１０】
2017225572.tif 000012